(57)【要約】【課題】地導体上の電流を低減することができるアンテナ装置を提供する。【解決手段】第一の地導体１と、第一の地導体１に対して所定の間隔を隔てて設置された２つの導体２，４とを備え、導体２の一端と第一の地導体１との間に電圧源６を設けると共に、導体４の一端と第一の地導体１を短絡し、導体２の一端と第一の地導体１の間に設けられた電圧源を第一の電圧源６とするのに対し、前記導体Ｂの一端と前記第一の地導体を短絡するかわりに、導体４の一端と第一の地導体１との間に設けられる電圧源を第二の電圧源７として、両電圧源を同相で給電した場合に、第一の電圧源６から導体２側をみたコンダクタンスをＧｃとし、両電圧源を逆相で給電した場合のコンダクタンスをＧｎとし、Ｇｎ＞３×Ｇｃとなる関係を満たすようにする。【選択図】図１
2006033509.tif 000002
【特許請求の範囲】
【請求項１】
第一の地導体と、
前記第一の地導体に対して所定の間隔を隔てて設置された２つの導体Ａ，Ｂと
を備え、
前記導体Ａの一端と前記第一の地導体との間に電圧源を設けると共に、前記導体Ｂの一端と前記第一の地導体を短絡し、
前記導体Ａの一端と前記第一の地導体の間に設けられた電圧源を第一の電圧源とするのに対し、前記導体Ｂの一端と前記第一の地導体を短絡するかわりに、前記導体Ｂの一端と前記第一の地導体との間に設けられる電圧源を第二の電圧源として、両電圧源を同相で給電した場合に、前記第一の電圧源から導体Ａ側をみたコンダクタンスをＧｃとし、両電圧源を逆相で給電した場合の前記コンダクタンスをＧｎとし、Ｇｎ＞３×Ｇｃとなる関係を満たすようにする
ことを特徴とするアンテナ装置。
【請求項２】
請求項１に記載のアンテナ装置において、
前記第一の地導体は、概略長方形の形状を有し、
前記２つの導体は、細長形状を有し、かつ２つの導体が直線上に並ぶように、前記第一の地導体の１辺近傍に、辺に沿って配置される
ことを特徴とするアンテナ装置。
【請求項３】
請求項２に記載のアンテナ装置において、
前記２つの導体は、概略長方形でなる前記第一の地導体の短辺に沿って設置され、
前記第一の地導体の波長で規格化した長辺の長さと、前記２つの導体を合計した設置長さを波長で規格化した長さとの関係が、Ｇｎ＞３×Ｇｃとなる範囲にある
ことを特徴とするアンテナ装置。
【請求項４】
請求項２に記載のアンテナ装置において、
前記第一の地導体から突出する導体Ｃをさらに備え、
前記第一の電圧源は、前記導体Ａの一端と前記導体Ｃの先端との間に設けられ、前記導体Ｂの一端と前記導体Ｃの先端を短絡した
ことを特徴とするアンテナ装置。
【請求項５】
請求項４に記載のアンテナ装置において、
前記導体Ｃをジグザグ状に折り曲げた
ことを特徴とするアンテナ装置。
【請求項６】
請求項４に記載のアンテナ装置において、
前記導体Ｃの先端と前記第一の地導体の間にキャパシタンスを設けた
ことを特徴とするアンテナ装置。
【請求項７】
請求項２に記載のアンテナ装置において、
前記第一の地導体と概略平行になる面に概略長方形の第二の地導体を設け、前記第一の地導体と前記第二の地導体を第一のリアクタンスＺで接続した
ことを特徴とするアンテナ装置。
【請求項８】
請求項７に記載のアンテナ装置において、
前記第一のリアクタンスＺは、前記第一の地導体と前記第二の地導体との間に配線される信号線により構成した
ことを特徴とするアンテナ装置。
【請求項９】
請求項７に記載のアンテナ装置において、
前記第一のリアクタンスＺは、前記第一の地導体と前記第二の地導体との間に配線される信号線と、それと並列に接続された第二のリアクタンスＺとにより構成した
ことを特徴とするアンテナ装置。
【発明の詳細な説明】
【技術分野】
【０００１】
この発明は、携帯端末に用いられるアンテナ装置である。
【背景技術】
【０００２】
従来のアンテナ装置の形状として、端末の筐体に相当する地導体と、地導体に取り付けられた線状導体とからモノポールアンテナが構成され、電圧源により給電されるものがある（例えば、非特許文献１参照）。
【０００３】
【非特許文献１】電子通信学会論文誌Vol. J65-Ｂ、No. 9、「直方導体に取り付けられた線状アンテナの特性」
【発明の開示】
【発明が解決しようとする課題】
【０００４】
上述した従来のアンテナ装置では、端末の筐体に相当する地導体に大きな電流が誘起され、端末の使用状態では地導体付近を手で保持することなる。しかし、人体は高周波において損失の大きな誘電体と見なされるため、地導体を保持した手により電力が消費され、放射効率が劣化するという問題があった。
【０００５】
この発明は上記従来の欠点を除去するためになされたものであり、地導体上の電流を低減することができるアンテナ装置を提供することを目的とする。
【課題を解決するための手段】
【０００６】
この発明に係るアンテナ装置は、第一の地導体と、前記第一の地導体に対して所定の間隔を隔てて設置された２つの導体Ａ，Ｂとを備え、前記導体Ａの一端と前記第一の地導体との間に電圧源を設けると共に、前記導体Ｂの一端と前記第一の地導体を短絡し、前記導体Ａの一端と前記第一の地導体の間に設けられた電圧源を第一の電圧源とするのに対し、前記導体Ｂの一端と前記第一の地導体を短絡するかわりに、前記導体Ｂの一端と前記第一の地導体との間に設けられる電圧源を第二の電圧源として、両電圧源を同相で給電した場合に、前記第一の電圧源から導体Ａ側をみたコンダクタンスをＧｃとし、両電圧源を逆相で給電した場合の前記コンダクタンスをＧｎとし、Ｇｎ＞３×Ｇｃとなる関係を満たすようにすることを特徴とする。
【発明の効果】
【０００７】
この発明によれば、Ｇｎ＞３×Ｇｃとなる関係を満たすようにして、地導体上の電流を低減することができ、地導体を保持した手により電力が消費され、放射効率が劣化するのを抑制することができる。
【発明を実施するための最良の形態】
【０００８】
実施の形態１．
図１は、この発明の実施の形態１に係るアンテナ装置を示す構成図である。図１に示す実施の形態１に係るアンテナ装置は、概略長方形の形状を有する第一の地導体１と、第一の地導体１の長手方向の一端に、第一の地導体１の短辺と所定の間隔を隔てて平行に設置され左右対称に設けられた線状導体（Ａ）２及び（Ｂ）４とを備え、線状導体２と４には端子３と５が設けられており、端子３と５は隣り合うように設置されている。また、端子３と第一の地導体１の間に電圧源６が接続され、端子５と第一の地導体１は短絡される。なお、第一の地導体１の長手方向（長辺）の長さはＬｇであり、直線状に配置される線状導体２と４を合わせた長さをＬｅである。
【０００９】
図１に示す構成を備えるアンテナ装置の動作について、図２と図３を参照して説明する。図２は、図１に示す端子３と端子５にそれぞれ第一の電圧源６と第二の電圧源７を設け、それらを逆相で励振したものであり、図３は、それらを同相で励振したものである。
【００１０】
図２に示すように、逆相で励振した場合、第一の電圧源６、第二の電圧源７から第一の地導体１上に流れる電流は打ち消すため、第一の地導体１の下方には電流が流れない。そのため、図２の状態では、第一の地導体１部分を手で保持しても効率の劣化が少ないという利点がある。
【００１１】
一方、図３に示すように、同相で励振した場合には、第一の電圧源６、第二の電圧源７から第一の地導体１上に流れる電流は加算されるため、第一の地導体１上に大きな電流が流れる。つまり、図３の状態では、第一の地導体１部分を手で保持すると効率の劣化が大きい。
【００１２】
ここで、図２の状態を逆相モード、図３の状態を同相モードと定義し、逆相モードにおいて、第一の電圧源６から線状導体２を見こんだコンダクタンスをＧｎとし、同相モードにおいて、第一の電圧源６から線状導体２を見こんだコンダクタンスをＧｃとする。ここでは、構造の対称性から第二の電圧源７から線状導体Ｂ４を見こんだ各コンダクタンスは第一の電圧源６から線状導体２を見こんだ各コンダクタンスと同一になる。コンダクタンスＧｎは逆相モードの電流の流れやすさを表しており、コンダクタンスＧｃは同相モードの電流の流れやすさを表している。
【００１３】
図１の構造のアンテナ装置において、第一の電圧源６から供給された電力が各モードに消費される割合は、図４の等価回路で表される。ここで、第一の電圧源６の電圧をＶとすると、逆相モードで消費される電力Ｐｎは、
Ｐｎ＝Ｇｎ×｜Ｖ｜×｜Ｖ｜
で表される。
同様に、同相モードで消費される電力Ｐｃは、
Ｐｃ＝Ｇｃ×｜Ｖ｜×｜Ｖ｜
となる。
全消費電力のうち、電力Ｐｎで消費される割合をＲｎとすると、
Ｒｎ＝Ｐｎ／（Ｐｎ＋Ｐｃ）＝Ｇｎ／（Ｇｎ＋Ｇｃ）
となる。同様に、全消費電力のうち、電力Ｐｃで消費される割合をＲｃとすると、
Ｒｃ＝Ｐｃ／（Ｐｎ＋Ｐｃ）＝Ｇｃ／（Ｇｎ＋Ｇｃ）
となる。
【００１４】
つまり、割合Ｒｃが小さいほど第一の地導体１上に流れる電流が小さいことを意味する。Ｒｃ＝０の場合の電力Ｐｎに比べ、Ｒｃ＝０．２５の場合の電力Ｐｎは１ｄＢ低下する。ここで、割合Ｒｃの一つの指標として、Ｒｃ＜０．２５という値を設ける。つまり、電力Ｐｎの低下量が１ｄＢ以下という指標である。Ｒｃ＜０．２５を満たす条件は、
Ｇｎ＞３×Ｇｃ
である。
【００１５】
コンダクタンスＧｎは、長さＬｅに大きく依存し、長さＬｇに対して大きく変化しないという特徴がある。これは、コンダクタンスＧｎは、逆相モードの場合のコンダクタンスであり、逆相モードでは線状導体２と４のみに電流が流れ、第一の地導体１の下方には電流が流れないためである。このため、線状導体２と４の長さをあわせた長さＬｅにはコンダクタンスＧｎが大きく影響され、地導体１の長さＬｇにはほとんど影響されない。
【００１６】
これに対し、コンダクタンスＧｃは、長さＬｅ、Ｌｇに対して大きく変化するという特徴がある。これは、コンダクタンスＧｃは、同相モードの場合のコンダクタンスであり、同相モードでは線状導体２と４のみならず、第一の地導体１の下方にも電流が誘起されるためである。このため、線上導体２，４の長さや第一の地導体１の長さが変化するとコンダクタンスＧｎが変化するという特徴がある。
【００１７】
これらのことから、Ｇｎ＞３×Ｇｃとなる条件は、長さＬｇとＬｅの関係によって成立する場合としない場合とに分けられる。図５は、波長で規格化した長さＬｇと波長で規格化した長さＬｅを２次元的に変化させ、Ｇｎ＞３×Ｇｃとなる範囲をハッチングで示したものである。図５に示すハッチング部分のパラメータを選定することで、電力Ｐｎの低下量が１ｄＢ以内に納めることが可能であり、第一の地導体１を手で保持しても効率の劣化量を低減することが可能である。
【００１８】
従って、実施の形態１によれば、長さＬｇとＬｅの関係がＧｎ＞３×Ｇｃとなる範囲を満たすパラメータを選定することにより、地導体上の電流を低減することができる。
【００１９】
実施の形態２．
この実施の形態２では、Ｇｎ＞３×Ｇｃを満たすための他の手段を示す。
図６は、この発明の実施の形態２に係るアンテナ装置を示す構成図である。図６に示す実施の形態２に係るアンテナ装置において、図１に示す実施の形態１と同一部分は同一符号を付してその説明は省略する。新たな構成として、この実施の形態２では、第一の地導体１から突出した導体（Ｃ）８を備える。この導体８は、第一の地導体１と平行な部分と、第一の地導体１と垂直な部分とを有し、導体８の先端と端子３との間に電圧源６が接続され、端子５と導体８の先端は短絡される。
【００２０】
この実施の形態２における動作原理は実施の形態１と同様であり、第一の地導体１の長さＬｇを変化させる代わりに、突出した導体（Ｃ）８を設け、その長さを変化させるものである。導体８の第一の地導体１と平行な部分は第一の地導体１とショートスタブを構成しており、その電気長によりインダクタンスやキャパシタンスとして動作する。この場合、同相モードのインピーダンスに対して直列にインダクタンスまたはキャパシタンスを挿入したことと等価になるため、コンダクタンスＧｃを変化させることが可能となる。
【００２１】
従って、実施の形態２によれば、第一の地導体１から突出する導体（Ｃ）８をさらに備え、第一の電圧源６を、導体（Ａ）２の一端と導体（Ｃ）８の先端との間に設け、導体（Ｂ）の４一端と導体（Ｃ）８の先端を短絡することにより、Ｇｎ＞３×Ｇｃを満たすための手段を構成することができ、地導体上の電流を低減することができる。
【００２２】
実施の形態３．
図７は、この発明の実施の形態３に係るアンテナ装置を示す構成図である。図７に示す実施の形態３に係るアンテナ装置において、図６に示す実施の形態２と同一部分は同一符号を付してその説明は省略する。図７に示す実施の形態３では、実施の形態２における導体（Ｃ）８をジグザグ状に折り曲げた導体（Ｄ）９に置き換えている。
【００２３】
この導体９は、細い線がジグザグ状に折り曲げられているため、インダクタンスとして動作する。この場合、同相モードのインピーダンスに対して直列にインダクタンスを挿入したことと等価になるため、コンダクタンスＧｃを変化させることが可能となる。また、導体９は、ジグザグに折り曲げられているため、物理的に小さな構造で大きなインダクタンスが得られ、アンテナ装置全体の小形化に寄与する。
【００２４】
従って、実施の形態３によれば、実施の形態２における導体（Ｃ）８をジグザグ状に折り曲げた導体（Ｄ）９に置き換えることにより、インダクタンスとして動作させコンダクタンスＧｃを変化させることが可能となる。また、物理的に小さな構造で大きなインダクタンスが得られ、アンテナ装置全体の小形化に寄与することができる。
【００２５】
実施の形態４．
図８は、この発明の実施の形態４に係るアンテナ装置を示す構成図である。図８に示す実施の形態４に係るアンテナ装置において、図６に示す実施の形態２と同一部分は同一符号を付してその説明は省略する。図８に示す実施の形態４では、実施の形態２の導体（Ｃ）８の一部分と第一の地導体１との間にキャパシタンス１０を設けている。
【００２６】
導体８は、ショートスタブとして動作し、ショートスタブの長さが短い場合はインダクタンスとして動作する。キャパシタンス１０は、このインダクタンスと並列に挿入されることになるため、両者の共振を利用することで、同相モードのインピーダンスに対して直列に挿入されるインピーダンスの値を大きく変化させることが可能となる。その結果、コンダクタンスＧｃを大きく変化させることが可能となる。
【００２７】
従って、実施の形態４によれば、実施の形態２の導体（Ｃ）８の一部分と第一の地導体１との間にキャパシタンス１０を設けることにより、導体（Ｃ）８のインダクタンスと並列にキャパシタンスを挿入することになり、同相モードのインピーダンスに対して直列に挿入されるインピーダンスの値を大きく変化させることができ、コンダクタンスＧｃを大きく変化させることが可能となる。
【００２８】
実施の形態５．
図９は、この発明の実施の形態５に係るアンテナ装置を示す構成図であり、図１０は、図９の断面図である。図９及び図１０に示す実施の形態５に係るアンテナ装置において、図１に示す実施の形態１と同一部分は同一符号を付してその説明は省略する。この実施の形態５では、実施の形態１のアンテナ装置を複数の導体から構成される筐体上で実現する場合を示し、実施の形態１と異なる点のみについて述べると、第一の地導体１と概略平行に概略長方形の第二の地導体１１が設けられ、第一の地導体１と第二の地導体１１はリアクタンス１２により接続されている。本構成のアンテナ装置では第一の電圧源６の部分を除いて長手方向を軸として対称構造を有するものとする。
【００２９】
逆相モードの電流は、実施の形態１で説明した理由により、第一の地導体１や第二の地導体２には流れないため、逆相モードに対するコンダクタンスＧｎは、実施の形態１の場合と大きく変化はしない。これに対し、同相モードの電流は、第一の地導体１のみならず第二の地導体１１上にも流れる。この際に、第一の地導体１と第二の地導体１１の間にあるリアクタンス１２により両地導体に流れる電流分布が変化する。そのため、コンダクタンスＧｃの値をリアクタンス１２により変化させることが可能となる。
【００３０】
図１１は、図９に示す構造のアンテナ装置に対し、リアクタンス１２の値を変化させた場合のコンダクタンスＧｃの値を示したものである。以下、リアクタンス１２の値をＺとする。本図より、Ｚ＝−ｊ７５〜±∞Ωの場合はコンダクタンスＧｃが大きくなっており、この場合には割合Ｒｃの値が大きくなり、第一の地導体１や第二の地導体１１に流れる電流が大きくなる。そのため、人体による損失が大きくなる。一方、Ｚ＝０〜−ｊ５０Ω程度に選定するとコンダクタンスＧｃの値が小さくなり、その結果、割合Ｒｃが小さくなり、第一の地導体１や第二の地導体１１に流れる電流が小さくなる。そのため、人体による損失が小さくできるという利点がある。
【００３１】
従って、実施の形態５によれば、実施の形態１の第一の地導体１と概略平行に概略長方形の第二の地導体１１を設け、第一の地導体１と第二の地導体１１をリアクタンス１２で接続することにより、コンダクタンスＧｃの値をリアクタンス１２により変化させることができる。
【００３２】
実施の形態６．
図１２は、この発明の実施の形態６に係るアンテナ装置を示す構成図であり、図１３は、図１２の断面図である。図１２及び図１３に示す実施の形態６に係るアンテナ装置において、基本的な構成は実施の形態５と同様であるため、実施の形態５と異なる部分について述べる。実施の形態６では、実施の形態５のリアクタンス１２が信号線１３により置き換えられている。
【００３３】
この信号線１３は、第一の地導体１上の回路と第二の地導体１１上の回路の間で信号を伝達するものであり、細い信号線が複数束にされたものである。上記信号線の束は、信号線用のグランドにてシールドされている。上記信号線用のグランドは、第一の地導体１上、および第二の地導体１１上でそれぞれ短絡されている。信号線の束はグランドによってシールドされているため、第一の地導体１と第二の地導体１１は、１本の信号線１３で接続されているものと等価となる。
【００３４】
信号線１３の長さを変化させることは実施の形態５においてリアクタンス１２を変化させることと等価であるため、その長さを調整することでコンダクタンスＧｃの値を小さくすることが可能となる。その結果、割合Ｒｃが小さくなり、第一の地導体１や第二の地導体２に流れる電流が小さくなる。そのため、人体による損失が小さくできるという利点がある。
【００３５】
従って、実施の形態６によれば、実施の形態５のリアクタンス１２が信号線１３により置き換え、その長さを調整することで、コンダクタンスＧｃの値を小さくすることが可能となり、第一の地導体１や第二の地導体２に流れる電流が小さくなり、人体による損失が小さくできるという利点がある。
【００３６】
実施の形態７．
図１４は、この発明の実施の形態７に係るアンテナ装置を示す構成図であり、図１５は、図１４の断面図である。図１４及び図１５に示す実施の形態７に係るアンテナ装置において、基本的な構成は実施の形態６と同様であるため、実施の形態６と異なる部分について述べる。実施の形態７では、実施の形態６の信号線１３と並列にリアクタンス１２が設置されている。第一の地導体１と第二の地導体１１の間に挿入されるインピーダンスは信号線１３が有するリアクタンスとリアクタンス１２が並列に接続されたものである。
【００３７】
本構成では、信号線１３の長さを変化させる代わりにリアクタンス１２の値を変化させることで、コンダクタンスＧｃの値を小さくすることが可能であり、その結果、割合Ｒｃが小さくなり、第一の地導体１や第二の地導体２に流れる電流が小さくなる。そのため、人体による損失が小さくできるという利点がある。本実施の形態７では、機構上の理由などにより信号線１３の取りうる長さが制限された場合でもコンダクタンスＧｃの値を小さくすることが可能となる。
【００３８】
従って、実施の形態７によれば、実施の形態６の信号線１３と並列にリアクタンス１２を設け、リアクタンス１２の値を変化させることで、コンダクタンスＧｃの値を小さくすることが可能であり、第一の地導体１や第二の地導体２に流れる電流が小さくなり、人体による損失が小さくできるという利点がある。
【図面の簡単な説明】
【００３９】
【図１】この発明の実施の形態１に係るアンテナ装置を示す構成図である。
【図２】図１に示す端子３と端子５にそれぞれ第一の電圧源６と第二の電圧源７を設け、それらを逆相で励振した場合の説明図である。
【図３】図１に示す端子３と端子５にそれぞれ第一の電圧源６と第二の電圧源７を設け、それらを同相で励振した場合の説明図である。
【図４】図１の構造のアンテナ装置において、第一の電圧源６から供給された電力が各モードに消費される割合を説明するための等価回路図である。
【図５】波長で規格化した長さＬｇと波長で規格化した長さＬｅを２次元的に変化させ、Ｇｎ＞３×Ｇｃとなる範囲をハッチングで示す説明図である。
【図６】この発明の実施の形態２に係るアンテナ装置を示す構成図である。
【図７】この発明の実施の形態３に係るアンテナ装置を示す構成図である。
【図８】この発明の実施の形態４に係るアンテナ装置を示す構成図である。
【図９】この発明の実施の形態５に係るアンテナ装置を示す構成図である。
【図１０】図９の断面図である。
【図１１】図９に示す構造のアンテナ装置に対し、リアクタンス１２の値を変化させた場合のコンダクタンスＧｃの値を示す説明図である。
【図１２】この発明の実施の形態６に係るアンテナ装置を示す構成図である。
【図１３】図１２の断面図である。
【図１４】この発明の実施の形態７に係るアンテナ装置を示す構成図である。
【図１５】図１４の断面図である。
【符号の説明】
【００４０】
１  第一の地導体、２  線状導体（Ａ）、３  端子、４  線状導体（Ｂ）、５  端子、６  第一の電圧源、７  第二の電圧源、８  導体（Ｃ）、９  導体（Ｄ）、１０  キャパシタンス、１１  第二の地導体、１２  リアクタンス、１３  信号線。
【図１】
2006033509.tif 000003
【図２】
2006033509.tif 000004
【図３】
2006033509.tif 000005
【図４】
2006033509.tif 000006
【図５】
2006033509.tif 000007
【図６】
2006033509.tif 000008
【図７】
2006033509.tif 000009
【図８】
2006033509.tif 000010
【図９】
2006033509.tif 000011
【図１０】
2006033509.tif 000012
【図１１】
2006033509.tif 000013
【図１２】
2006033509.tif 000014
【図１３】
2006033509.tif 000015
【図１４】
2006033509.tif 000016
【図１５】
2006033509.tif 000017
【手続補正書】
【提出日】平成17年7月14日(2005.7.14)
【手続補正１】
【補正対象書類名】特許請求の範囲
【補正対象項目名】請求項１
【補正方法】変更
【補正の内容】
【請求項１】
第一の地導体と、
前記第一の地導体に対して所定の間隔を隔てて設置された２つの導体Ａ，Ｂと
を備え、
前記導体Ａの一端と前記第一の地導体との間に第一の電圧源を設け、
前記導体Ｂの一端と前記第一の地導体との間に第二の電圧源を設け、
両電圧源を同相で給電した場合に、前記第一の電圧源から導体Ａ側をみたコンダクタンスをＧｃとし、
両電圧源を逆相で給電した場合の前記コンダクタンスをＧｎとし、
Ｇｎ＞３×Ｇｃとなる関係を満たす条件下において、
前記導体Ａの一端と前記第一の地導体の間に電圧源を設けると共に、前記導体Ｂの一端と前記第一の地導体を短絡してなる
ことを特徴とするアンテナ装置。
【手続補正２】
【補正対象書類名】明細書
【補正対象項目名】０００６
【補正方法】変更
【補正の内容】
【０００６】
この発明に係るアンテナ装置は、第一の地導体と、前記第一の地導体に対して所定の間隔を隔てて設置された２つの導体Ａ，Ｂとを備え、前記導体Ａの一端と前記第一の地導体との間に第一の電圧源を設け、前記導体Ｂの一端と前記第一の地導体との間に第二の電圧源を設け、両電圧源を同相で給電した場合に、前記第一の電圧源から導体Ａ側をみたコンダクタンスをＧｃとし、両電圧源を逆相で給電した場合の前記コンダクタンスをＧｎとし、Ｇｎ＞３×Ｇｃとなる関係を満たす条件下において、前記導体Ａの一端と前記第一の地導体の間に電圧源を設けると共に、前記導体Ｂの一端と前記第一の地導体を短絡してなることを特徴とする。